(57)【要約】【課題】 免震建物に追従して下屋、庇、小屋根等の突出部分が変位しても、その変位によって折れ曲がったり、破損したりすることのない支柱を提供する。【解決手段】  免震建物１１から側方へ突出した状態で設けられ、免震建物１１に追従して変位する突出部分１２を支持するための支柱１であって、上端が突出部分１２にピン結合２され、下端が地盤１５上に全方向に回動可能に設けられている球座３に連結される。風や地震等による外力が免震建物１１に入力して免震建物１１が変位すると、それに追従して突出部分１２が変位し、突出部分１２に追従して支柱１の上端が同一方向に変位するが、支柱１の上端はピン結合２により突出部分１２に回動自在に連結され、下端は地盤１５上に全方向に回動可能に設けられている球座３に連結されているので、支柱１下端の水平方向及び鉛直方法の変形を微小にすることができ、支柱１の折れ曲がり、破損等を防止できる。【選択図】      図１
2006299710.tif 000002
【特許請求の範囲】
【請求項１】
免震建物から側方へ突出した状態で設けられた突出部分を、前記免震建物に追従して変位可能に支持するための支柱であって、
上端が前記突出部分にピン結合され、下端が地盤上に全方向に回動可能に設けられている球座に連結されていることを特徴とする支柱。
【請求項２】
前記球座の表面の中央部は面取りされて平坦面に形成されていることを特徴とする請求項１に記載の支柱。
【請求項３】
前記地盤には、上方を向く球面の凹部を有する受座が設けられ、該受座の凹部内に前記球座が全方向に回動可能に係合されていることを特徴とする請求項１又は２に記載の支柱。
【請求項４】
前記受座の凹部の開口端面は前記地盤と面一に形成されるとともに、該凹部の開口部には蓋部材が着脱可能に取り付けられていることを特徴とする請求項３に記載の支柱。
【請求項５】
免震建物から側方へ突出した状態で設けられた突出部分を、前記免震建物に追従して変位可能に支持するための支柱であって、
上端が前記突出部分にピン結合され、下端に平板が一体に連結され、該平板が地盤上に固定されている球座の表面に全方向に回動可能に接触していることを特徴とする支柱。
【請求項６】
前記球座は、地盤に設けられている凹部内に設けられ、該凹部の開口部に蓋部材が着脱自在に取り付けられていることを特徴とする請求項５に記載の支柱。
【請求項７】
免震建物から側方へ突出した状態で設けられた突出部分を、前記免震建物に追従して変位可能に支柱によって支持するための支持方法であって、
前記支柱の上端を前記突出部分にピン結合し、地盤上に全方向に回動可能に球座を設け、該球座に前記支柱の下端を連結することを特徴とする支持方法。
【請求項８】
免震建物から側方へ突出した状態で設けられた突出部分を、前記免震建物に追従して変位可能に支柱によって支持するための支持方法であって、
前記支柱の上端を前記突出部分にピン結合し、下端に平板を連結し、地盤上に球座を固定し、該球座の表面に前記平板を全方向に回動可能に接触させることを特徴とする支持方法。
【発明の詳細な説明】
【技術分野】
【０００１】
本発明は、支柱及び支持方法に関し、特に、免震建物から側方に突出した状態で設けられる下屋、庇、小屋根等の突出部分を支持するための支柱及び支持方法に関する。
【背景技術】
【０００２】
一般に、免震建物から側方に突出した状態で設けられる下屋、庇、小屋根等の突出部分は、基端部が所定の勾配をもって免震建物に連結され、先端部が地盤に垂直に立設された支柱により支持されている。
【０００３】
このような構成の突出部分は、風や地震等の外力が入力して免震建物が変位する際に、免震建物に追従して変位するため、突出部分を支持する支柱に過大な荷重が作用し、支柱が折れ曲がったり破損したりする虞がある。
【０００４】
このため、突出部分をエキスパンションジョントを介して免震建物に連結したり、突出部分を免震建物から独立させたり、突出部分を支持する支柱の上下端をピン結合にしたりすることが行われている（例えば、特許文献１参照。）。
【特許文献１】特開２００１−１４０３３７号公報
【発明の開示】
【発明が解決しようとする課題】
【０００５】
しかしながら、エキスパンションジョイントを使用する方法は、エキスパンションジョイントの価格が非常に高く、また、金属製のエキスパンションジョイントが露出状態となるために見栄えが悪い。また、支柱の上下端をピン結合にする方法は、支柱の長さが短い場合に、水平方向の変位が大きくなると、鉛直方向の変位が小さいながらも生じるため、支柱が折れ曲がったり、破損したりする虞がある。さらに、突出部分を免震建物から独立させる方法は、突出部分を支持するための支柱の本数が増えてしまうため、突出部分の下方の空間を有効に利用することができない。
【０００６】
本発明は、上記のような従来の問題に鑑みなされたものであって、コストが嵩むことなく、見栄えもよく、さらに、支柱の長さが短い場合であっても、折れ曲がったり、破損したりする虞はなく、そして、突出部分の下方の空間を有効に利用することができる支柱及び支持方法を提供することを目的とする。
【課題を解決するための手段】
【０００７】
上記のような課題を解決するために、本発明は、以下のような手段を採用している。
すなわち、請求項１に係る発明は、免震建物から側方へ突出した状態で設けられた突出部分を、前記免震建物に追従して変位可能に支持するための支柱であって、上端が前記突出部分にピン結合され、下端が地盤上に全方向に回動可能に設けられている球座に連結されていることを特徴とする。
【０００８】
本発明による支柱によれば、風や地震等による外力が免震建物に入力し、免震建物の変位に追従して突出部分が変位した場合、支柱の上端が突出部分にピン結合され、下端が地盤上に設置されている全方向に回動可能な球座に連結されているので、突出部分の変位に追従して同一方向に支柱の上端のピン結合部が変位するとともに、ピン結合部の変位に追従して支柱を介して球座が地盤上をその方向に回動することになる。従って、支柱下端の水平方向及び鉛直方向への変形を微小なものとすることができるので、支柱が折れ曲がったり、破損したりするのを防止できる。
【０００９】
請求項２に係る発明は、請求項１に記載の支柱であって、前記球座の表面の中央部は面取りされて平坦面に形成されていることを特徴とする。
【００１０】
本発明による支柱によれば、通常時は球座の平坦面が地盤に接触しているので、球座の据わりをよくすることができる。
【００１１】
請求項３に係る発明は、請求項１又は２に記載の支柱であって、前記地盤には、上方を向く球面の凹部を有する受座が設けられ、該受座の凹部内に前記球座が全方向に回動可能に係合されていることを特徴とする。
【００１２】
本発明による支柱によれば、受座の凹部内に球座が全方向に回動可能に係合されることになるので、球座の地盤上における位置がずれるのを防止でき、外力が除去されたときに、支柱が元の位置からずれるようなことはない。
【００１３】
請求項４に係る発明は、請求項３に記載の支柱であって、前記受座の凹部の開口端面は前記地盤と面一に形成されるとともに、該凹部の開口部には蓋部材が着脱可能に取り付けられていることを特徴とする。
【００１４】
本発明による支柱によれば、凹部の開口部には蓋部材が取り付けられているので、凹部内に雨水が浸入したり、凹部に人がつまずいたりするのを防止できる。
【００１５】
請求項５に係る発明は、免震建物から側方へ突出した状態で設けられた突出部分を、前記免震建物に追従して変位可能に支持するための支柱であって、上端が前記突出部分にピン結合され、下端に平板が一体に連結され、該平板が地盤上に固定されている球座の表面に全方向に回動可能に接触していることを特徴とする。
【００１６】
本発明による支柱によれば、風や地震等による外力が免震建物に入力し、免震建物の変位に追従して突出部分が変位した場合、支柱の上端が突出部分にピン結合され、下端が地盤上に設置されている球座に平板を介して接触しているので、突出部分の変位に追従して同一方向に支柱の上端のピン結合部が変位するとともに、ピン結合部の変位に追従して支柱を介して平板が球座の球面上をその方向に回動することになる。従って、支柱下端の水平方向及び鉛直方向への変形を微小なものとすることができるので、支柱が折れ曲がったり、破損したりするのを防止できる。
【００１７】
請求項６に係る発明は、請求項５に記載の支柱であって、前記球座は、地盤に設けられている凹部内に設けられ、該凹部の開口部に蓋部材が着脱自在に取り付けられていることを特徴とする。
【００１８】
本発明による支柱によれば、凹部内に球座及び平板が設けられ、凹部の開口部が蓋部材によって閉塞されているので、凹部内に雨水が浸入したり、凹部に人がつまずいたりするのを防止できる。
【００１９】
請求項７に係る発明は、免震建物から側方へ突出した状態で設けられた突出部分を、前記免震建物に追従して変位可能に支柱によって支持するための支持方法であって、前記支柱の上端を前記突出部分にピン結合し、地盤上に全方向に回動可能に球座を設け、該球座に前記支柱の下端を連結することを特徴とする。
【００２０】
本発明による支持方法によれば、風や地震等による外力が免震建物に入力し、免震建物の変位に追従して突出部分が変位した場合、支柱の上端が突出部分にピン結合され、下端が地盤上に設置されている全方向に回動可能な球座に連結されているので、突出部分の変位に追従して同一方向に支柱の上端のピン結合部が変位するとともに、ピン結合部の変位に追従して支柱を介して球座が地盤上をその方向に回動することになる。従って、支柱下端の水平方向及び鉛直方向への変形を微小なものとすることができるので、支柱が折れ曲がったり、破損したりするのを防止できる。
【００２１】
請求項８に係る発明は、免震建物から側方へ突出した状態で設けられた突出部分を、前記免震建物に追従して変位可能に支柱によって支持するための支持方法であって、前記支柱の上端を前記突出部分にピン結合し、下端に平板を連結し、地盤上に球座を固定し、該球座の表面に前記平板を全方向に回動可能に接触させることを特徴とする。
【００２２】
本発明による支持方法によれば、風や地震等による外力が免震建物に入力し、免震建物の変位に追従して突出部分が変位した場合、支柱の上端が突出部分にピン結合され、下端が地盤上に設置されている球座に平板を介して接触しているので、突出部分の変位に追従して同一方向に支柱の上端のピン結合部が変位するとともに、ピン結合部の変位に追従して支柱を介して平板が球座の球面上をその方向に回動することになる。従って、支柱下端の水平方向及び鉛直方向への変形を微小なものとすることができるので、支柱が折れ曲がったり、破損したりするのを防止できる。
【発明の効果】
【００２３】
以上、説明したように、本発明の請求項１に記載の支柱によれば、風や地震等による外力が免震建物に入力し、免震建物の変位に追従して突出部分が変位した場合、支柱の上端が突出部分にピン結合され、下端が地盤上に設置されている全方向に回動可能な球座に連結されているので、突出部分の変位に追従して同一方向に支柱の上端のピン結合部が変位するとともに、ピン結合部の変位に追従して支柱を介して球座が地盤上をその方向に回動することになる。従って、支柱下端の水平方向及び鉛直方向への変形を微小なものとすることができるので、支柱が折れ曲がったり、破損したりするのを防止できる。また、支柱の上端をピン結合により突出部分に連結し、下端を地盤上の球座に連結するだけでよいので、施工費を安く抑えることができる。さらに、支柱の本数を少なくすることができるので、突出部分の下方の空間を有効に利用することができる。
【００２４】
また、請求項２に記載の支柱によれば、球座の表面の中央部が平坦面に形成されているので、通常時に球座の平坦面を地盤に接触させることができ、球座の据わりをよくすることができるので、支柱によって突出部分を安定して支持することができる。
【００２５】
さらに、請求項３及び４に記載の支柱によれば、受座の凹部内に球座が全方向に回動可能に係合されることになるので、球座の地盤上における位置がずれるのを防止でき、外力が除去されたときに、支柱が元の位置からずれるようなことはない。この場合、凹部の開口部に蓋部材を取り付けることにより、凹部内に雨水が浸入したり、凹部に人がつまずいたりするのを防止できる。
【００２６】
さらに、請求項５に記載の支柱によれば、風や地震等による外力が免震建物に入力し、免震建物の変位に追従して突出部分が変位した場合、支柱の上端が突出部分にピン結合され、下端が地盤上に設置されている球座に平板を介して接触しているので、突出部分の変位に追従して同一方向に支柱の上端のピン結合部が変位するとともに、ピン結合部の変位に追従して支柱を介して平板が球座の表面上をその方向に回動することになる。従って、支柱下端の水平方向及び鉛直方向への変形を微小なものとすることができるので、支柱が折れ曲がったり、破損したりするのを防止できる。また、支柱の上端をピン結合により突出部分に連結し、下端に連結した平板を地盤上に設置した球座に接触させるだけでよいので、施工費を安く抑えることができる。さらに、支柱の本数を少なくすることができるので、突出部分の下方の空間を有効に利用することができる。
【００２７】
さらに、請求項６に記載の支柱によれば、凹部内に球座及び平板を設け、凹部の開口部を蓋部材によって閉塞することにより、凹部内に雨水が浸入したり、凹部に人がつまずいたりするのを防止できる。
【００２８】
さらに、請求項７に記載の支持方法によれば、風や地震等による外力が免震建物に入力し、免震建物の変位に追従して突出部分が変位した場合、支柱の上端が突出部分にピン結合され、下端が地盤上に設置されている全方向に回動可能な球座に連結されているので、突出部分の変位に追従して同一方向に支柱の上端のピン結合部が変位するとともに、ピン結合部の変位に追従して支柱を介して球座が地盤上をその方向に回動することになる。従って、支柱下端の水平方向及び鉛直方向への変形を微小なものとすることができるので、支柱が折れ曲がったり、破損したりするのを防止できる。また、支柱の上端をピン結合により突出部分に連結し、下端を地盤上の球座に連結するだけでよいので、施工費を安く抑えることができる。さらに、支柱の本数を少なくすることができるので、突出部分の下方の空間を有効に利用することができる。
【００２９】
さらに、請求項８に記載の支持方法によれば、風や地震等による外力が免震建物に入力し、免震建物の変位に追従して突出部分が変位した場合、支柱の上端が突出部分にピン結合され、下端が地盤上に設置されている球座に平板を介して接触しているので、突出部分の変位に追従して同一方向に支柱の上端のピン結合部が変位するとともに、ピン結合部の変位に追従して支柱を介して平板が球座の表面上をその方向に回動することになる。従って、支柱下端の水平方向及び鉛直方向への変形を微小なものとすることができるので、支柱が折れ曲がったり、破損したりするのを防止できる。また、支柱の上端をピン結合により突出部分に連結し、下端に連結した平板を地盤上に設置した球座に接触させるだけでよいので、施工費を安く抑えることができる。さらに、支柱の本数を少なくすることができるので、突出部分の下方の空間を有効に利用することができる。
【発明を実施するための最良の形態】
【００３０】
以下、図面に示す本発明の実施の形態について説明する。
図１には、本発明による支柱及び支持方法の第１の実施の形態が示されていて、この支柱１は、免震建物１１から側方に突出した状態で設けられる下屋、庇、小屋根等の突出部分１２を支持するためのものであって、突出部分１２と地盤１５との間の複数箇所に設けられている。
【００３１】
突出部分１２は、木、金属、コンクリート等から形成される板状をなすものであって、所定の勾配をもって基端部が免震建物１１の側部に適宜の方法により一体に連結され、先端部下面側と地盤１５との間に複数の支柱１が設けられている。
【００３２】
支柱１は、木、金属、コンクリート等からなる棒状又は筒状をなすものであって、上端が突出部分１２の下面側にピン結合２（ヒンジ、ピン継手等）により回動可能に連結され、下端が地盤１５上に全方向に回動可能に設置されている球座３の中心部に一体に連結されている。
【００３３】
球座３は、鉄、硬質コンクリート等からなる椀形状をなすものであって、表面４が地盤１５に接触するように地盤１５上に設置され、地盤１５上において全方向に回動可能に構成されている。この場合、球座３に対応する地盤１５の部分に硬質のコンクリートを打設したり、金属製の平板等を設置し、この上部に球座３を設置するように構成してもよい。なお、球座３は、椀形状に限らず他の形状であってもよい。要は、地盤１５に接触する面が球面に形成されていればよい。
【００３４】
球座３の中心部には支柱１の下端が一体に連結され、支柱１の変位に追従して球座３が地盤１５上を同一方向に回動するように構成されている。支柱１の球座３への連結は、球座３の材質、支柱１の材質等に応じて公知の方法（溶接に連結、ボルトによる連結、コンクリートによる連結等）を採用すればよい。
【００３５】
そして、免震建物１１に風や地震等による外力が入力して免震建物１１が変位すると、図６に示すように、免震建物１１に追従して突出部分１２が同一方向に変位し、突出部分１２の変位に追従して支柱１の上端が同一方向に変位し、支柱１の下端が元の位置に留まろうとするが、この場合、支柱１の上端はピン結合２により突出部分１２に回動可能に連結され、下端は地盤１５上に全方向に回動可能に設置されている球座３に連結されているので、支柱１の上端及び下端に過大な荷重が作用するのを防止できる。
【００３６】
従って、支柱１下端の水平方向及び鉛直方向への変形を微小とすることができるので、各支柱１が折れ曲がったり破損したりするようなことはなく、各支柱１によって突出部分１２を支持し続けることができる。
【００３７】
また、支柱１の上端をピン結合２により突出部分１２に連結し、下端を地盤１５上の球座３に連結するだけでよいので、施工費を安く抑えることができる。さらに、支柱１の本数を少なくすることができるので、突出部分１２の下方の空間を有効に利用することができる。
【００３８】
図２には、本発明による支柱及び支持方法の第２の実施の形態が示されていて、この支柱１は、球座３の表面４の中央部を平坦面５に形成したものであって、その他の構成は前記第１の実施の形態に示すものと同様である。
【００３９】
そして、この実施の形態による支柱１にあっても、前記第１の実施の形態に示すものと同様に、免震建物１１に風や地震等による外力が入力して免震建物１１が変位すると、図６に示すように、免震建物１１に追従して突出部分１２が同一方向に変位し、突出部分１２の変位に追従して支柱１の上端が同一方向に変位し、支柱１の下端が元の位置に留まろうとするが、この場合、支柱１の上端はピン結合２により突出部分１２に回動可能に連結され、下端は地盤１５上に全方向に回動可能に設置されている球座３に連結されているので、支柱１の上端及び下端に過大な荷重が作用するのを防止できる。
【００４０】
従って、支柱１下端の水平方向及び鉛直方向への変形を微小とすることができるので、各支柱１が折れ曲がったり破損したりするようなことはなく、各支柱１によって突出部分１２を支持し続けることができる。
【００４１】
また、支柱１の上端をピン結合２により突出部分１２に連結し、下端を地盤１５上の球座３に連結するだけでよいので、施工費を安く抑えることができる。さらに、支柱１の本数を少なくすることができるので、突出部分１２の下方の空間を有効に利用することができる。さらに、この実施の形態においては、球座３の表面４の中央部を平坦面５に形成しているので、通常時の球座３の地盤１５上への据わりをよくすることができる。
【００４２】
図３には、本発明による支柱及び支持方法の第３の実施の形態が示されていて、この実施の形態に示す支柱１は、上方が開口する球面８の凹部７を有する受座６を地盤１５に埋設し、この受座６の凹部７内に球座３を全方向に回動可能に係合させたものであって、その他の構成は前記第１の実施の形態に示すものと同様である。この場合、凹部７の球面８は球座３の表面４と合致する曲率に形成されているとともに、凹部７の開口部には着脱自在に蓋部材９が取り付けられている。
【００４３】
そして、この実施の形態に示す支柱にあっても、前記第１の実施の形態に示すものと同様に、免震建物１１に風や地震等による外力が入力して免震建物１１が変位すると、図６に示すように、免震建物１１に追従して突出部分１２が同一方向に変位し、突出部分１２の変位に追従して支柱１の上端が同一方向に変位し、支柱１の下端が元の位置に留まろうとするが、この場合、支柱１の上端はピン結合２により突出部分１２に回動可能に連結され、下端は受座６の凹部７内に全方向に回動可能に係合されている球座３に連結されているので、支柱１の上端及び下端に過大な荷重が作用するのを防止できる。
【００４４】
従って、支柱１下端の水平方向及び鉛直方向への変形を微小とすることができるので、各支柱１が折れ曲がったり破損したりするようなことはなく、各支柱１によって突出部分１２を支持し続けることができる。
【００４５】
また、支柱１の上端をピン結合２により突出部分１２に連結し、下端を地盤１５上の球座３に連結するだけでよいので、施工費を安く抑えることができる。さらに、支柱１の本数を少なくすることができるので、突出部分１２の下方の空間を有効に利用することができる。
【００４６】
さらに、この実施の形態においては、地盤１５に埋設した受座６の凹部７内に球座３を係合させ、凹部７の開口部を蓋部材９で閉塞しているので、各支柱１を支持する球座３に人がつまずいたりするのを防止できる。さらに、蓋部材９によって凹部７内に雨水が浸入するのを防止できるので、球座３の初期の機能を長期的に維持し続けることができる。
【００４７】
なお、この実施の形態に示す構成を前記第２の実施の形態に示す支柱１に適用してもよい。その場合には、第２の実施の形態に示すものと同様の作用効果をさらに奏することになる。
【００４８】
図４には、本発明による支柱及び支持方法の第４の実施の形態が示されていて、この支柱１は、地盤１５上に表面４が上方を向くように球座３を固定し、支柱１の下端に平板１０を一体に連結し、この平板１０を球座３の表面４に接触させたものであって、その他の構成は前記第１の実施の形態に示すものと同様である。
【００４９】
そして、この実施の形態に示すものにあっても、前記第１の実施の形態に示すものと同様に、免震建物１１に風や地震等による外力が入力して免震建物１１が変位すると、図６に示すように、免震建物１１に追従して突出部分１２が同一方向に変位し、突出部分１２の変位に追従して支柱１の上端が同一方向に変位し、支柱１の下端が元の位置に留まろうとするが、この場合、支柱１の上端はピン結合２により突出部分１２に回動可能に連結され、下端は平板１０を介して地盤１５上に設置されている球座３の表面４に全方向に回動可能に接触しているので、支柱１の上端及び下端に過大な荷重が作用するのを防止できる。
【００５０】
従って、支柱１下端の水平方向及び鉛直方向への変形を微小とすることができるので、各支柱１が折れ曲がったり破損したりするようなことはなく、各支柱１によって突出部分１２を支持し続けることができる。
【００５１】
また、支柱１の上端をピン結合２により突出部分１２に連結し、下端に連結した平板１０を地盤１５上に設置した球座３に接触させるだけでよいので、施工費を安く抑えることができる。さらに、支柱１の本数を少なくすることができるので、突出部分１２の下方の空間を有効に利用することができる。
【００５２】
図５には、本発明による支柱及び支持方法の第５の実施の形態が示されていて、この支柱１は、地盤１５に凹部１６を設け、この凹部１６内に表面４が上方を向くように球座３を設置し、この球座３の表面４に平板１０を接触させ、凹部１６の開口部に蓋部材１７を着脱自在に取り付けたものであって、その他の構成は前記第４の実施の形態に示すものと同様である。
【００５３】
そして、この実施の形態に示す支柱１にあっても、前記第１の実施の形態に示すものと同様に、免震建物１１に風や地震等による外力が入力して免震建物１１が変位すると、図６に示すように、免震建物１１に追従して突出部分１２が同一方向に変位し、突出部分１２の変位に追従して支柱１の上端が同一方向に変位し、支柱１の下端が元の位置に留まろうとするが、この場合、支柱１の上端はピン結合２により突出部分１２に回動可能に連結され、下端は平板１０を介して地盤１５上に設置されている球座３の表面４に全方向に回動可能に接触しているので、支柱１の上端及び下端に過大な荷重が作用するのを防止できる。
【００５４】
従って、支柱１下端の水平方向及び鉛直方向への変形を微小とすることができるので、各支柱１が折れ曲がったり破損したりするようなことはなく、各支柱１によって突出部分１２を支持し続けることができる。
【００５５】
また、支柱１の上端をピン結合１により突出部分１２に連結し、下端に連結した平板１０を地盤１５上に設置した球座３に接触させるだけでよいので、施工費を安く抑えることができる。さらに、支柱１の本数を少なくすることができるので、突出部分１２の下方の空間を有効に利用することができる。
【００５６】
さらに、この実施の形態においては、凹部１６内に球座３及び平板１０を設けているので、球座３及び平板１０に人がつまずくようなことはない。さらに、凹部１６の開口部は蓋部材１７で閉塞されているので、凹部１６内に雨水が浸入するのを防止でき、球座３の初期の機能を長期的に維持し続けることができる。
【図面の簡単な説明】
【００５７】
【図１】本発明による支柱及び支持方法の第１の実施の形態を示した概略図である。
【図２】本発明による支柱及び支持方法の第２の実施の形態を示した概略図である。
【図３】本発明による支柱及び支持方法の第３の実施の形態を示した概略図である。
【図４】本発明による支柱及び支持方法の第４の実施の形態を示した概略図である。
【図５】本発明による支柱及び支持方法の第５の実施の形態を示した概略図である。
【図６】本発明による支柱の動作を示した概略説明図である。
【符号の説明】
【００５８】
１    支柱
２    ピン結合
３    球座
４、８  表面
５    平坦面
６    受座
７、１６  凹部
９、１７  蓋部材
１０  平板
１１  免震建物
１２  突出部分
１５  地盤
【図１】
2006299710.tif 000003
【図２】
2006299710.tif 000004
【図３】
2006299710.tif 000005
【図４】
2006299710.tif 000006
【図５】
2006299710.tif 000007
【図６】
2006299710.tif 000008